(57)【要約】【課題】人工毛収納容器はユーザの頭部に人工毛を直接振り掛けるため、ユーザの頭皮もしくは毛髪と人工毛収納容器の内蓋部とが接触する。よって、内蓋部が抗菌性を有し、内蓋部における雑菌の繁殖を抑制することが可能な人工毛収納容器を提供する。【解決手段】本考案に係る人工毛収納容器５０は、ユーザの頭皮もしくは毛髪と接触する内蓋部３６に抗菌性を備えている。このため、内蓋部３６における雑菌の繁殖を抑制することができる。これにより、内蓋部３６、人工毛、及び内蓋部３６に接触するユーザの頭皮の衛生状態を良好に維持することができる。【選択図】図２
0003179462.tif 000002
【実用新案登録請求の範囲】
【請求項１】
短繊維状の人工毛を収容する容器本体部と、前記容器本体部の上端に形成された口部と、前記容器本体部内の人工毛を吐出する複数の孔を備え前記口部に装着される内蓋部と、前記口部及び内蓋部を覆う着脱自在なキャップ部と、を有する人工毛収納容器において、
前記内蓋部が抗菌性を有することを特徴とする人工毛収納容器。
【請求項２】
内蓋部が、下側に位置する第１の内蓋部と、上側に位置する第２の内蓋部と、を有し、
第１の内蓋部の孔径が、第２の内蓋部の孔径よりも大きいことを特徴とする請求項１記載の人工毛収納容器。
【考案の詳細な説明】
【技術分野】
【０００１】
本考案は、短繊維状の人工毛を収容するための人工毛収納容器に関するものである。
【背景技術】
【０００２】
人工毛の収容容器に関する発明として下記［特許文献１］が開示されている。この［特許文献１］に開示された発明は、容器の内蓋を二重構造とすることで、内容物の残量が少ない場合でも多量の内容物が一気に吐出することを防止することができる。
【先行技術文献】
【特許文献】
【０００３】
【特許文献１】特開２００３−１６５５８５号公報
【考案の概要】
【考案が解決しようとする課題】
【０００４】
ただし、人工毛収納容器はユーザの頭部に人工毛を直接振り掛けるため、ユーザの頭皮もしくは毛髪と人工毛収納容器の内蓋部とが接触する。このため、内蓋部に雑菌が繁殖する可能性があり、この点で更なる改善が望まれる。
【０００５】
本考案は上記事情に鑑みてなされたものであり、内蓋部が抗菌性を有し、内蓋部における雑菌の繁殖を抑制することが可能な人工毛収納容器を提供することを目的とする。
【課題を解決するための手段】
【０００６】
本考案は、
（１）短繊維状の人工毛を収容する容器本体部３２と、前記容器本体部３２の上端に形成された口部３０と、前記容器本体部３２内の人工毛を吐出する複数の孔３４を備え前記口部３０に装着される内蓋部３６と、前記口部３０及び内蓋部３６を覆う着脱自在なキャップ部３８と、を有する人工毛収納容器において、
前記内蓋部３６が抗菌性を有することを特徴とする人工毛収納容器５０を提供することにより、上記課題を解決する。
（２）内蓋部３６が、下側に位置する第１の内蓋部３６ａと、上側に位置する第２の内蓋部３６ｂと、を有し、
第１の内蓋部３６ａの孔径が、第２の内蓋部３６ｂの孔径よりも大きいことを特徴とする上記（１）記載の人工毛収納容器５０を提供することにより、上記課題を解決する。
【考案の効果】
【０００７】
本考案に係る人工毛収納容器は内蓋部が抗菌性を有するため、内蓋部における雑菌の繁殖を抑制することができる。これにより、人工毛収納容器の衛生状態を良好に維持することができる。
【図面の簡単な説明】
【０００８】
【図１】本考案に係る人工毛収納容器の第１の形態の分解斜視図である。
【図２】本考案に係る人工毛収納容器の第２の形態の分解斜視図である。
【考案を実施するための形態】
【０００９】
本考案に係る人工毛収納容器の実施の形態について図面に基づいて説明する。本考案に係る人工毛収納容器５０は、図１、図２に示すように、短繊維状の人工毛を収容する容器本体部３２と、この容器本体部３２の上端に形成された口部３０と、この口部３０に装着され複数の孔３４（孔３４ａ、３４ｂ）を備えた内蓋部３６（第１の内蓋部３６ａ、第２の内蓋部３６ｂ）と、口部３０及び内蓋部３６を覆う着脱自在なキャップ部３８と、を有している。尚、人工毛収納容器５０の出荷時には、人工毛の飛散防止と品質保持のため内蓋部３６はポリエチレンやポリプロピレン等の封止フィルムによって閉塞される。
【００１０】
次に、人工毛収納容器５０に収容する人工毛に関して説明を行う。人工毛収納容器５０に収容する人工毛は、ユーザの頭皮もしくは地毛に接着することで薄毛を目立たなくするものであり、レーヨンに代表される再生繊維、アセテート等のセルロース系やタンパク質系の半合成繊維、ナイロン、ビニロン、ビニリデン、ポリ塩化ビニル、ポリエステル、アクリル、ポリエチレン、ポリプロピレン、ポリウレタン、ベンゾエート、ポリクラール等の合成繊維、ガラス繊維や炭素繊維などの無機繊維、動植物系の天然繊維などを用いることができる。また、人工毛の太さは１０デニール〜６０デニール程度であり、長さは概ね０．１ｍｍ〜１ｍｍ程度である。また、人工毛は人に無害な染料にて黒、ブラウン、グレー、ブロンド、白等の人間の毛髪と同等の色に着色される。尚、人工毛は長さの異なる複数の人工毛を所定の割合で混合しても良いし、直線形の人工毛と不規則に曲がった人工毛とを所定の割合で混合しボリューム感を出すようにしても良い。
【００１１】
次に、人工毛収納容器５０の構成を説明する。人工毛収納容器５０の容器本体部３２はガラス材料やポリエチレン、ポリスチレン等の周知の合成樹脂材料で形成され、上端に口部３０を備えている。そして、この口部３０の外周面には後述のキャップ部３８と螺合するネジ山が形成されている。尚、容器本体部３２は容易に変形しない硬質の材料を用いても良いし、ＥＶＡ、軟質ＰＥ、ポリブテン等の弾性変形可能な軟質の材料を用いても良い。
【００１２】
また、キャップ部３８は硬質の合成樹脂材料で形成され、内周面に口部３０に形成されたネジ山と螺合するネジ溝が形成されている。尚、キャップ部３８は、人工毛収納容器５０の不使用時に口部３０及び内蓋部３６を閉塞し、容器本体部３２内への異物の混入や内容物（人工毛）の飛散を防止する機能を有する。
【００１３】
尚、容器本体部３２及びキャップ部３８の形状は上記の例に限定されるわけではなく、例えば容器本体部３２の外形、及びキャップ部３８の外形を略角型としても良い。また、略円筒形の容器本体部３２を略角型の外容器に入れ、２重壁構造としても良い。さらに、容器本体部３２とキャップ部３８との取付手法はネジ式に限定されるわけではなく、例えば嵌め込み式としても良い。
【００１４】
また、内蓋部３６（第１の内蓋部３６ａ、第２の内蓋部３６ｂ）もポリエチレン、ポリスチレン等の周知の合成樹脂材料で形成され、容器本体部３２内に収納された人工毛を吐出するための複数の孔３４（孔３４ａ、３４ｂ）を備えている。そして、本考案に係る人工毛収納容器５０の内蓋部３６は抗菌性を有することを大きな特徴としている。内蓋部３６に用いる抗菌剤としては、人体に無害な例えば酸化亜鉛、ジルコニウム化合物、アンモニウム塩、銀、銅等の周知の抗菌剤を用いることができる。また、これらの抗菌剤を混合して用いることもできる。内蓋部３６への抗菌性の付与方法としては、合成樹脂材料に抗菌剤を混合し、この材料を用いて内蓋部３６を成形することが好ましい。また、例えば抗菌剤を含む材料を内蓋部３６の表面にコーティングしても良い。
【００１５】
次に、人工毛収納容器５０の第１の形態を図１を用いて説明する。図１に示す人工毛収納容器５０の第１の形態は、一般的に使用されている調味料等の収納容器と同様に内蓋部３６が一層で構成されている。よって、後述の第２の形態の人工毛収納容器５０のように緩衝壁として機能する第２の内蓋部３６ｂが存在しない。このため、第１の形態の人工毛収納容器５０は、比較的小容量の人工毛収納容器５０に適した形態である。
【００１６】
また、図２に示す人工毛収納容器５０の第２の形態は、内蓋部３６が下側、即ち容器本体部３２の内部側に位置する第１の内蓋部３６ａと、上側、即ち口部３０において外側に位置する第２の内蓋部３６ｂと、で構成される。尚、第２の形態の人工毛収納容器５０では外側に位置する第２の内蓋部３６ｂが抗菌性を有していれば良い。ただし、衛生面の観点から、第１の内蓋部３６ａ、第２の内蓋部３６ｂの双方が抗菌性を備えていることが特に好ましい。
【００１７】
そして、この第１の内蓋部３６ａは複数の孔３４ａが穿孔された円形の底面部と、この底面部の周縁より立ち上がる壁部とで構成されている。そして、壁部には第２の内蓋部３６ｂと係合する図示しない係合部が形成されている。
【００１８】
また、第２の内蓋部３６ｂは、複数の孔３４ｂが穿孔された円形の上面部と、この上面部の周縁より垂下する壁部とで構成されている。そして、壁部には第１の内蓋部３６ａと係合する図示しない係合部が形成されている。尚、第１の内蓋部３６ａの孔３４ａの孔径は、第２の内蓋部３６ｂの孔３４ｂの孔径よりも大きく形成される。そして、第１の内蓋部３６ａの係合部と第２の内蓋部３６ｂの係合部とを係合することで第２の形態の二重構造の内蓋部３６が形成される。
【００１９】
次に、人工毛収納容器５０の使用方法を説明する。人工毛収納容器５０の使用方法は、先ず、人工毛収納容器５０のキャップ部３８を取り外し、人工毛収納容器５０をユーザの頭上で逆さにして上下方向に振る。これにより、第１の形態の人工毛収納容器５０では、容器本体部３２内の人工毛が内蓋部３６の孔３４を通ってユーザの頭皮及び地毛部分に吐出される。
【００２０】
また、第２の形態の人工毛収納容器５０では、人工毛は初めに第１の内蓋部３６ａに当たり、その一部が孔３４ａを通って第２の内蓋部３６ｂに落下する。落下した人工毛は一部が孔３４ｂを通ってユーザの頭皮及び地毛部分に吐出される。このため、第２の形態の人工毛収納容器５０では人工毛の残量が少ない場合でも、内側の第１の内蓋部３６ａが緩衝壁となって多量の人工毛が一気に吐出する事を防ぐことができる。また、内側の第１の内蓋部３６ａの孔３４ａの孔径が第２の内蓋部３６ｂの孔３４ｂの孔径より大きいため、目詰まりが発生しづらく人工毛を常にスムーズに吐出する事ができる。
【００２１】
次に、ユーザの頭皮及び地毛に糊剤をスプレー等により噴霧する。これにより、人工毛収納容器５０から吐出された人工毛は、噴霧された糊剤によってユーザの頭皮及び地毛部分に接着し、これらの部分の薄毛を目立たなくする。
【００２２】
そして、前述のように本考案に係る人工毛収納容器５０は、ユーザの頭皮もしくは毛髪と接触する内蓋部３６に抗菌性を備えている。このため、内蓋部３６における雑菌の繁殖を抑制することができる。これにより、内蓋部３６、人工毛、及び内蓋部３６に接触するユーザの頭皮の衛生状態を良好に維持することができる。
【００２３】
尚、上記に示した人工毛収納容器５０の第１の形態、第２の形態は一例であるから、容器本体部３２、内蓋部３６、キャップ部３８等の各部の形状、寸法等は本考案の要旨を逸脱しない範囲で変更して実施することが可能である。
【符号の説明】
【００２４】
３０    口部
３２    容器本体部
３４、３４ａ、３４ｂ  孔
３６    内蓋部
３６ａ  第１の内蓋部
３６ｂ  第２の内蓋部
３８    キャップ部
５０    人工毛収納容器
【図１】
0003179462.tif 000003
【図２】
0003179462.tif 000004